(57)【要約】      （修正有）【課題】長期間使用しても発電効率が低下することがない、優れた回転動力発電装置を提供する。【解決手段】回転動力発電装置は、バッテリー２０とバッテリー出力を交流出力に変換するインバータ２１とインバータの交流出力によって駆動される交流モーター２と、この交流モーターの回転軸に繋がっている、外周面に磁石が設けられているモーター直結フライホィール４−１と、このモーター直結フライホィール４−１に近接して設けられた、外周面に磁石が設けられているモーター非連結フライホィール４−２、４−３と、モーター直結フライホィール４−１又はモーター非連結フライホィール４−２，４−３に回転軸が繋がり、自己からの発電電力によってバッテリーを充電させる１又は複数のダイナモ３-１、３−２、３−３、３−４、３−５とを備える。【選択図】図１５
2012105520.tif 000002
【特許請求の範囲】
【請求項１】
バッテリーと
バッテリー出力を交流出力に変換するインバータと
インバータの交流出力によって駆動されるモーターと
この交流モーターの回転軸に繋がっている、外周面に磁石が設けられているモーター直結フライホィールと
このモーター直結フライホィールに接近して設けられた、外周面に磁石が設けられている非連結フライホィールと、
上記モーター直結フライホィール又は上記モーター非直結フライホィールに回転軸がつながり、自己からの発電電力によって上記バッテリーを充電させる１又は複数のダイナモとフライホィールを備えることを特徴とする回転動力発電装置
【請求項２】
バッテリーと
バッテリー出力を交流出力に変換するインバータとこの交流モーターの回転軸に繋がっている円盤側面に磁石が設けられているモーター円盤型フライホィールとこのモーター直結フライホィールに接近して設けられた、側面に磁石が設けられているモーター非連結フライホィールと上記モーター直結フライホィール又は上記モーター非連結バッテリーを充電させる１又はダイナモとを備えることを特徴とする回転動力発電装置。
【請求項３】
バッテリーと、
バッテリー出力を交流出力に変換するインバータとインバータの交流出力によって駆動させる交流モーターと、この交流モーターの回転軸に繋がっている外周面に磁石が設けられているモーター直結フライホィールとこのモーター非連結サック式４−Ａ１と上記モーター直結フライホィール又は上記モーター非連結サック式４−Ａ１フライホィールに回転が繋がり、自己からの発電電力によって上記バッテリーを充電させる３−１ダイナモとを備えることを特徴とする回転動力発電装置。
【請求項４】
バッテリーと
バッテリー出力を交流出力に変換するインバータとインバータの交流出力によって駆動させる交流モーターと、この交流モーターの回転軸左右に軸２−Ａを付け、モーター軸左右にダイナモ３−１〜３−２二台繋ぎ自己からの発電力によって、上記バッテリーを充電させる、ダイナモを備えることを、又左右に軸を付けることを特徴とする回転動力発電装置。
【発明の詳細な説明】
【発明の詳細な説明】
【０００１】この発明は、ダイナモを利用した回転動力発電装置に関する
【背景技術】
【０００２】  従来、バッテリーからの直流電力をインタバーによって交流電力に変換させてモーターを回転させ、モーターの回転を、ベルトを介してダイナモに伝達してダイナモを回転させ、その発電電力を上記バッテリーに供給して充電させていた。
【発明の概要】
【発明が解決しようとする課題】
【０００３】  しかしながら、ベルトを利用していたため、長期間使用するとベルトが伸びて回転を滑らかに伝達できず、発電効率が低下するという課題があった。【０００４】また、ベルトを利用していたため間隔を広く取る必要があった。
【課題を解決するための手段】
【０００５】  この発明の回転動力発電装置は、上記課題を解決するためになされたものであり、バッテリーとバッテリー出力を交流出力に変換するインバータと、インバータの交流出力によって駆動される交流モーターと、交流モーターの回転軸に繋がっている、外周面に磁石が設けられているモーター直結フライホィールと、このモーター直結フライホィールに接近して設けられた、外周面に磁石が設けられているモーター非連結フライホィールに回転軸が繋がり、自己からの発電電力によって上記バッテリーを充電させる１または複数のダイナモとを備えることを特徴とする。
【発明の効果】
【０００６】  この発明によれば、以上の構成により、長期間使用しても発電効率が低下することがない、優れた回転動力発電装置を提供することが出来る。
【図面の簡単な説明】
【０００７】
【図１】この発明の回転動力発電装置の実施例１に用いられる磁石付きフライホィールを示す見取り図である。
【図２】カバーが付けられた磁石付きフライホィールを、カバーの一部を切り替えて示す見取り図である。
【図３】この発明の回転動力発電装置の実施例１の各構成要素の配置を示す平面図である
【図４】この発明の回転動力発電装置の実施例１の電気的な接続関係を示す回路図である。
【図５】この発明の回転動力発電装置の実施例２の各構成要素の配置を示す平面図である
【図６】この発明の回転動力発電装置の実施例３の各構成要素の配置を示す平面図である
【図７】この発明の回転動力発電装置の実施例５の各構成要素の配置を示す平面図である。
【図８】この発明の回転動力発電装置の実施例５の各構成要素の配置を示す平面図である。
【図９】この発明の回転動力発電装置の実施例４の各構成要素の配置を示す平面図である。
【図１０】この発明の回転動力発電装置の実施例４の各構成要素の配置を示す平面図である。
【図１１】この発明の回転動力発電装置の実施１の電気的な接続関係を示す回路図である。
【図１２】この発明の回転動力発電装置の実施例３の各構成要素の配置を示す平面図である。
【図１３】この発明の回転動力発電装置の実施例３の各構成要素の配置を示す平面図である。
【図１４】この発明の回転動力発電装置の実施例４−Ｃ１〜４−Ｃ２に用いられる磁石付きフライホィールを示す見取り図である。
【図１５】この発明の回転動力発電装置の実施例１の電気的な接続３０関係を示す回路図である。
【発明を実施するための形態】
【０００８】  以下この発明の、回転動力発電装置の実施例１を図面を用いて説明する。
【０００９】  図３は、この発明の回転動力発電装置の実施例１の各構成要素の配置を示す平面図である。図３において、回転動力発電装置は、１台のモーター２と５台のダイナモ３−１〜３−５と、３個のフライホィール４−１〜４−３とを備えている。
【００１０】  モーター２は、例えば１００Ｖ、２５０Ｗの交流モーターであり、その回転軸は、フライホィール４−１の一方の側面の中心に設けられている軸受け部材に繋がっている。フライホィール４−１の他方の側面の中心に設けられている軸受け部材にはダイナモ３−１の回転軸が繋がっている。
【００１１】  ３個のフライホィール４−１〜４−３は、図１に示すような同様な構成を有する。フライホィールは概ね円筒形状をしている。この円筒形状の外周には回転方向に延びる複数の溝１０が設けられており、それぞれの溝１０には板状または棒状の磁石１１がはめ込まれている。図１では１個の溝１０に磁石１１がはめ込まれている状態を示しているが、使用時には全ての溝１０に磁石１１がはめ込まれている。全ての磁石１１のＳ極は同じ側に位置しＮ極は反対側に位置する。図１はすべてのＮ極が内側に位置し、全てのＳ極が外側に位置している場合を示している（その逆でも可）
なお、フライホィール４は図２に示すように円筒の両側面にカバー１２が設けられているものであっても良い。なお磁石１１は嵌め込みではなく、張り付けによって円筒の外周に設けるようにしても良い。
【００１２】  フライホィール４−２は、フライホィール４−１に対して１〜２ｍｍの間隔をもって左側に配置され、フライホィール４−３はフライホィール４−１に対して１〜２ｍｍの間隔をもって右側に配置されている。フライホィール４−２の２個の軸受け部材にはそれぞれダイナモ３−２及び３−３の回転軸が繋げられている。フライホィール４−３の２個の軸受け部材にはそれぞれダイナモ３−４及び３−５の回転軸が繋げられている。フライホィール４−１軸受け部材には下部にモーター２が繋げられ、上部にはダイナモ３−１が繋げられている。
【００１３】  モーター２が回転すれば、フライホィール４−１及びダイナモ３−１が回転する。フライホィール４−１が回転すれば、磁力の反発によりフライホィール４−２及び４−３が回転し、フライホィール４−２が回転すればダイナモ３−２及び３−３が回転し、フライホィール４−３が回転すればダイナモ３−４及び３−５が回転する。すなわちモーター２が回転すれば全てのダイナモ３−１〜３−５が回転する。
【００１４】  この発明の回転動力発電装置の実施例１の電気的な接続関係を示す回路図である。但しダイナモについては、５台中２台のダイナモ３−１及び３−２を取り出して示している。図４において、バッテリー（例えば１２Ｖバッテリーとする）２０の＋端子及び−端子はそれぞれインバータ２１の＋端子及び−端子に接続されバッテリー２０の直流を交流電力に変換されてモーター２を駆動する。ダイナモ３−１及び３−２の＋端子及び−端子はそれぞれバッテリー２０の＋端子及び−端子に接続され、ダイナモ３−１及び３−２の発電電力によってバッテリー２０が充電されるようになっている。
【００１５】  図７、モーター２フライホィール４−１フライホィール４−Ａ１ダイナモ３−１円筒ダブルサック４−Ａ１磁石付きフライホィール内側１１−１にはりつけサック式なので磁石付きフライホィール４−１をはめて間隔を１ｍｍ〜３ｍｍにしてモーター２を回す、反発Ｓ極とＳ極の４−Ａ１が回転する。ダイナモ３−１からバッテリー２０＋端子及び−端子に接続され充電されるようになっている。
【００１６】  図８、円盤フライホィール磁石４−Ｃ１と４−Ｃ２を５ｍｍ間隔あけ、モーター２で回転フライホィールトルコンのように磁石の反発で回し、ダイナモ３−１＋端子及び−端子はそれぞれバッテリー２０の＋端子及び−端子に接続されダイナモ３−１の発電力によってバッテリー２０が充電されるようになっている。
【００１７】  図６は、この発明の回転動力発電装置の実施例２の各構成要素の配置を示す平面図である。図６において、回転動力発電装置１は、１台のモーター２と、１０台のダイナモ３−１〜３−１０と６個のフライホイール４−１〜４−６とを備えている。
【産業上の利用可能性】
【００１８】  この発明の回転動力発電装置は、例えば電気自動車のエンジンに又は、家電用に利用可能である。
【符号の説明】
【００１９】１．回転動力発電装置
２．２交流モーター、２−１直流
モーター２−Ａ（両サイドに軸を出す）２−Ｂ（軸穴）
３．３−１〜３−１０  ダイナモ
４．４−１〜４−６  フライホィール
４−Ａ１〜４−Ａ２  円筒サックフライホィール
４−Ｃ１〜４−Ｃ４  円盤トルコンフライホィール
５．磁石付きフライホィールの間隔１ｍｍ〜１０ｍｍあける。
５−１  張り付けもよい。
１０．フライホィールの溝
１１．１１−１Ｓ極  １１−２Ｎ極  板磁石又は棒磁石あり、その他も
１２  フライホィールカバー付き。
２０  バッテリー  ２０−１  ターミナル（＋端子、ＢＡＴ、−端子、Ｅ）
２１  インバーター  ２１−Ａ  コンバーター
２２  スイッチ  ２１−１  ２２−Ａ（ＡＣ家電用）１００Ｖ
３０  電気回路  図３、図４、図５、図６、図７、図８、図９、図１０、図１１、図１２、図１５
上記３〜１５の回路は同じ方式を、又は直流も有り。
３１  板磁石
３２  非連結（ＳとＳ、ＮとＮ反発）
【図１】
2012105520.tif 000003
【図２】
2012105520.tif 000004
【図３】
2012105520.tif 000005
【図４】
2012105520.tif 000006
【図５】
2012105520.tif 000007
【図６】
2012105520.tif 000008
【図７】
2012105520.tif 000009
【図８】
2012105520.tif 000010
【図９】
2012105520.tif 000011
【図１０】
2012105520.tif 000012
【図１１】
2012105520.tif 000013
【図１２】
2012105520.tif 000014
【図１３】
2012105520.tif 000015
【図１４】
2012105520.tif 000016
【図１５】
2012105520.tif 000017